(57)【要約】【課題】反転バネを重ねることなくその浮き上がりによる導通不良を防止することのできるスイッチ装置を提供する。【解決手段】固定接点２を有する基台１上に可動接点３となる反転バネを配置し、反転バネの上面を粘着剤付きのシート４で覆うと共に、シート４を基台１に粘着保持させてなるものであって、シート４の粘着剤を光照射により粘着力が変化する剥離型粘着剤で構成し、シート４は粘着剤の粘着力が部分的に変化されて、基台１に対する粘着部の粘着力よりも反転バネの上面の覆い部の粘着力を弱くしてなる。【選択図】図１
2008004410.tif 000002
【特許請求の範囲】
【請求項１】
固定接点を有する基台上に可動接点となる反転バネを配置し、該反転バネの上面を粘着剤付きのシートで覆うと共に、該シートを基台に粘着保持させてなるスイッチ装置において、
前記シートの粘着剤を光照射により粘着力が変化する剥離型粘着剤で構成し、前記シートは前記粘着剤の粘着力が部分的に変化されて、前記基台に対する粘着部の粘着力よりも前記反転バネの上面の覆い部の粘着力を弱くしてなることを特徴とするスイッチ装置。
【請求項２】
前記シートの上部に該シートの上面を部分的に遮光する入射制限部を設けてなることを特徴とする請求項１記載のスイッチ装置。
【請求項３】
前記シートの前記基台に対する粘着部にはその上面に前記入射制限部が直接形成されてなることを特徴とする請求項２記載のスイッチ装置。
【請求項４】
前記シートの上部には前記基台に対する粘着部の上面を覆って前記入射制限部となる枠部材が設けられ、該枠部材は前記シートを前記基台に対して上面から保持することを特徴とする請求項２記載のスイッチ装置。
【発明の詳細な説明】
【技術分野】
【０００１】
本発明は、可動接点を押圧反転させて固定接点との接離を行うスイッチ装置に関し、特に防塵のため粘着剤付シートで可動接点を覆い封止したスイッチ装置に関する。
【背景技術】
【０００２】
従来から、可動接点を押圧反転させて固定接点との接離を行うスイッチ装置が知られており、このようなスイッチ装置は、箱状の収容部を有する樹脂製の基台に固定接点と可動接点とを納めて構成される。固定接点は基台の収容部底面にインサート成形により埋設される金属端子板によって構成され、収容部の周辺部に配置される周辺固定接点と、収容部の中央部に配置される中央固定接点からなっている。一方、可動接点は反転自在なドーム状の反転バネからなり、その周縁部が周辺固定接点に導通し、中央部が中央固定接点と対向して接離自在となるように収容部の底面に載置される。
【０００３】
ここで、固定接点と可動接点が接離する収容部内に埃等が侵入すると、接点間の導通を阻害するなどの問題を生じる。このため、スイッチ装置の上面を粘着剤付シートで封止することが行われている。粘着剤付シートは、可動接点の上面及び基台の上面に対し粘着しこれらを覆っている。このように粘着剤付シートを設けたスイッチ装置としては、例えば特許文献１に挙げるようなものがある。
【特許文献１】特開２００４−３３５４８８号公報
【発明の開示】
【発明が解決しようとする課題】
【０００４】
スイッチ装置の上面を封止するためには、粘着剤付シートは基台の上面にのみ粘着していればよいが、同時に可動接点の上面にも粘着剤により粘着している。反転バネを反転操作すると、反転バネのより周縁側まで粘着剤付シートが粘着し、反転バネが復帰動作する際にはその部分が反転バネを吊り上げて、反転バネが固定接点から浮き上がってしまい導通不良を引き起こすことがあった。これを防止するため、反転バネを収容部内で重ねることによって、上面側の反転バネが浮き上がっても下面側の反転バネの導通に影響を与えないようにしていた。しかしこのように反転バネを重ねると、その分だけ厚みを増すことになってしまい、スイッチ装置の薄型化を阻害することとなっていた。
【０００５】
本発明は上記課題を鑑みてなされたものであり、反転バネを重ねることなくその浮き上がりによる導通不良を防止することのできるスイッチ装置を提供することを目的とする。
【課題を解決するための手段】
【０００６】
上記課題を解決するため、本発明に係るスイッチ装置は、固定接点を有する基台上に可動接点となる反転バネを配置し、該反転バネの上面を粘着剤付きのシートで覆うと共に、該シートを基台に粘着保持させてなるスイッチ装置において、
前記シートの粘着剤を光照射により粘着力が変化する剥離型粘着剤で構成し、前記シートは前記粘着剤の粘着力が部分的に変化されて、前記基台に対する粘着部の粘着力よりも前記反転バネの上面の覆い部の粘着力を弱くしてなることを特徴として構成されている。
【０００７】
また、本発明に係るスイッチ装置は、前記シートの上部に該シートの上面を部分的に遮光する入射制限部を設けてなることを特徴として構成されている。
【０００８】
さらに、本発明に係るスイッチ装置は、前記シートの前記基台に対する粘着部にはその上面に前記入射制限部が直接形成されてなることを特徴として構成されている。
【０００９】
さらにまた、本発明に係るスイッチ装置は、前記シートの上部には前記基台に対する粘着部の上面を覆って前記入射制限部となる枠部材が設けられ、該枠部材は前記シートを前記基台に対して上面から保持することを特徴として構成されている。
【発明の効果】
【００１０】
本発明に係るスイッチ装置によれば、シートの粘着剤を光照射により粘着力が変化する剥離型粘着剤で構成し、シートは粘着剤の粘着力が部分的に変化されて、基台に対する粘着部の粘着力よりも反転バネの上面の覆い部の粘着力を弱くしてなることにより、反転バネの押圧操作の際にシートによって反転バネが吊り上げられることがなく、反転バネが１枚であっても固定接点との間の導通不良を防止することができ、スイッチ装置の薄型化を図ることができる。
【００１１】
また、本発明に係るスイッチ装置によれば、シートの上部にその上面を部分的に遮光する入射制限部を設けてなることにより、シートの粘着力のコントロールを容易に行うことができる。
【００１２】
さらに、本発明に係るスイッチ装置によれば、シートの基台に対する粘着部にはその上面に入射制限部が直接形成されてなることにより、印刷などにより入射制限部を容易に形成することができると共に、入射制限部がシートと一体であるために取扱いを容易にすることができる。
【００１３】
さらにまた、本発明に係るスイッチ装置によれば、シートの上部には基台に対する粘着部の上面を覆って入射制限部となる枠部材が設けられ、枠部材はシートを基台に対して上面から保持することにより、枠部材によって粘着部に対する光の入射を確実に防止できると共に、組立後においてシートの脱落を確実に防止することができる。
【発明を実施するための最良の形態】
【００１４】
本発明の実施形態について図面に沿って詳細に説明する。図１には本実施形態におけるスイッチ装置の平面図を、図２にはスイッチ装置の断面図を、それぞれ示している。これら各図に示すように本実施形態におけるスイッチ装置は、樹脂製の基台１内に固定接点２と可動接点３とが納められ、上面を粘着剤付シート４で覆われてなるものである。
【００１５】
図３には可動接点３及び粘着剤付シート４を取り外した状態のスイッチ装置の平面図を示している。この図に示すように、基台１には略円形の収容部１０が形成され、この収容部１０の底面に固定接点２が配置される。固定接点２は、収容部１０の周辺部に配置される周辺固定接点２ａと、収容部１０の中央部に配置される中央固定接点２ｂとからなっており、周辺固定接点２ａは収容部１０の底面に載置される可動接点３の周縁部と常時接触し、中央固定接点２ｂは可動接点３の中央部と対向し、その反転動作に伴って接離する。この固定接点２は、樹脂材からなる基台１の成形時にインサート成形によって埋設される。
【００１６】
また、収容部１０には周方向３箇所に突起状の位置決め部１１が形成されており、これらが可動接点３の外周縁に当接することで可動接点３を収容部１０の中央位置に位置決め配置することができるようにされている。
【００１７】
図１に示すように、基台１の収容部１０には、平面視で円形状の可動接点３が配置される。図２に示すように、可動接点３は略ドーム状に形成され、押圧操作に伴って反転する反転バネとして形成されている。また、可動接点３の周縁部は周辺固定接点２ａ上に載置され、中央部は中央固定接点２ｂに対向する。
【００１８】
基台１及び可動接点３の上面は、粘着剤付シート４によって覆われている。粘着剤付シート４は、下面に粘着剤が塗布されており、基台１の収容部１０周辺の上面に対して粘着することで収容部１０内に埃等が侵入しないように封止している。
【００１９】
粘着剤付シート４の粘着剤には、光を照射することによってその粘着力が変化する剥離型粘着剤を用いている。特にここでは光のうち紫外線を照射することにより粘着力が小さくなるものを用いている。粘着剤付シート４の膜厚は１２５μｍに対して粘着剤の厚みは２５μｍ程度であり、またその粘着力は紫外線の照射前では３０Ｎ／２０ｍｍであるのに対して、紫外線の照射後では０．２Ｎ／２０ｍｍと極めて小さくなるものを用いている。ただし、膜厚や粘着力についてはこれに限られず、様々なタイプのものを用いることができる。
【００２０】
粘着剤付シート４には、透明なシートにより形成されると共に、上面の一部には入射制限部１５が形成されており、上面側から光が入射しない領域を形成している。入射制限部１５は、図１のハッチングで示す領域が黒いインクで印刷されることで形成されている。この領域は、粘着剤付シート４が基台１の上面に粘着する部分であり、それ以外の透明な部分は、可動接点３の上面を覆う部分である。
【００２１】
スイッチ装置は、その製造において粘着剤付シート４により収容部１０を封止した後に、上側から紫外線を照射する工程を有する。この際に紫外線は透明な領域については下面側まで透過し、下面に塗布された粘着剤の粘着力を小さくする。一方、紫外線は入射制限部１５を透過することができないから、入射制限部１５の下面、すなわち粘着剤付シート４が基台１の上面に粘着している部分については、粘着力をそのまま維持することができる。このようにして粘着剤付シート４において粘着剤の粘着力を部分的に変化させ、基台１に対する粘着剤の粘着力より可動接点３の上面を覆う部分の粘着剤の粘着力を弱くしたことで、可動接点３の押圧操作の際に粘着剤付シート４によって可動接点３が吊り上げられることがなく、可動接点３が１枚であっても固定接点２と可動接点３の導通不良を防止することができる。
【００２２】
次に、本発明の第２の実施形態について説明する。図４には本実施形態におけるスイッチ装置の平面図を、図５にはスイッチ装置の断面図を、それぞれ示している。本実施形態のスイッチ装置は、第１の実施形態と同様のスイッチ装置において、可動接点３を押圧操作するための操作体２０を上部に設けたものである。
【００２３】
図４に示すように、基台１からは固定接点２と導通する端子板２１が外部に向かって突出している。また、基台１の上面には枠部材２２が設けられていて、基台１の上面のうち周縁部を覆うと共に、操作体２０を保持している。
【００２４】
図５に示すように、基台１と固定接点２及び可動接点３については、第１の実施形態のスイッチ装置と同様に構成されている。基台１の上面及び可動接点３の上面は、第１の実施形態と同様に粘着剤付シート４によって覆われているが、本実施形態では粘着剤付シート４には入射制限部１５が直接には形成されておらず、枠部材２２が入射制限部１５として機能する。
【００２５】
また、操作体２０は下面に突起状の押圧部２０ａを有し、この押圧部２０ａが粘着剤付シート４を介して可動接点３に対して当接し、押圧操作に伴って可動接点３を押圧する。可動接点３の頂部には、樹脂材によって形成される突起部３ａが設けられており、操作体２０の押圧部２０ａは粘着剤付シート４を介して可動接点３の突起部３ａに対して当接、押圧する。可動接点３に突起部３ａが設けられていることにより、操作体２０によって可動接点３の頂部を確実に押圧することができる。
【００２６】
枠部材２２は、薄板を折り曲げ加工してなるものであり、中央部には開口部２２ａを有していて、開口部２２ａからは操作体２０が上方に突出している。操作体２０の周縁部には鍔部２０ａが全周に渡って形成されており、枠部材２２は、開口部２２ａを構成する内周縁部が操作体２０の鍔部２０ａの上面に当接し、これを保持している。
【００２７】
また、枠部材２２は外周が基台１の上面と略同形状となるように形成され、基台１の上面を覆う粘着剤付シート４に当接しており、粘着剤付シート４を上面側から保持している。これによって粘着剤付シート４の脱落を防止することができる。
【００２８】
スイッチ装置の製造の際には、基台１に枠部材２２を取付けた状態で上方から紫外線を照射する工程を有し、紫外線は粘着剤付シート４のうち枠部材２２に覆われてない部分のみに照射されて、その部分の粘着力を弱くする。一方で粘着剤付シート４のうち基台１の上面に対して粘着している部分は、入射制限部１５として機能する枠部材２２によって上面側を覆われているので、紫外線は入射せず、したがって粘着力はそのまま維持される。これによって粘着剤付シート４に直接入射制限部１５が形成されている場合と同様、粘着剤付シート４において粘着剤の粘着力を部分的に変化させ、基台１に対する粘着剤の粘着力より可動接点３の上面を覆う部分の粘着剤の粘着力を弱くすることができる。
【００２９】
また、可動接点３の頂部に設けられる突起部３ａは、紫外線硬化性の樹脂によって形成されており、粘着剤付シート４の粘着力を変化させるために紫外線が照射される前段階において、可動接点３上に軟化した状態で予め設けられる。そして、粘着剤付シート４の粘着力を変化させるために紫外線が照射されると、それに伴って硬化し、突起部３ａを形成するようにしている。
【００３０】
以上、本発明の実施形態について説明したが、本発明の適用はこれら実施形態には限られず、その技術的思想の範囲内において様々に適用されうるものである。例えば、本実施形態では粘着剤付シート４に直接、またはその上部に入射制限部１５を設けて粘着剤付シート４における粘着力の強い領域と弱い領域をコントロールしているが、入射制限部１５は必ずしもスイッチ装置に設けなくてもよく、この場合には製造工程において紫外線照射の際にスイッチ装置の上部にマスクを被せるなどの方法によって、紫外線の入射をコントロールし、粘着剤の粘着力を部分的に変化させる。
【図面の簡単な説明】
【００３１】
【図１】第１の実施形態におけるスイッチ装置の平面図である。
【図２】第１の実施形態におけるスイッチ装置の断面図である。
【図３】可動接点及び粘着剤付シートを取り外した状態のスイッチ装置の平面図である。
【図４】第２の実施形態におけるスイッチ装置の平面図である。
【図５】第２の実施形態におけるスイッチ装置の断面図である。
【符号の説明】
【００３２】
１    基台
２    固定接点
２ａ  周辺固定接点
２ｂ  中央固定接点
３    可動接点
４    粘着剤付シート
１０    収容部
１１    位置決め部
１５    入射制限部
２０    操作体
２１    端子板
２２    枠部材
【図１】
2008004410.tif 000003
【図２】
2008004410.tif 000004
【図３】
2008004410.tif 000005
【図４】
2008004410.tif 000006
【図５】
2008004410.tif 000007